(57)【要約】【課題】バイタル情報を簡単に転送することが可能なバイタル情報処理プログラムを提供することである。【解決手段】バイタル情報処理プログラムは、第１のサーバで管理される第１のバイタル情報に基づき生成される画像を読み取る手順と、前記画像の読取りデータに基づいて前記第１のバイタル情報を構成するデータを推定する手順と、推定データに基づいて第２のサーバの入力形式に対応する第２のバイタル情報を生成する手順と、前記第２のバイタル情報を前記第２のサーバへ送信する手順と、をコンピュータに実行させる。【選択図】図３
2015197808.tif 000002
【特許請求の範囲】
【請求項１】
第１のサーバで管理される第１のバイタル情報に基づき生成される画像を読み取る手順と、
前記画像の読取りデータに基づいて前記第１のバイタル情報を構成するデータを推定する手順と、
推定データに基づいて第２のサーバの入力形式に対応する第２のバイタル情報を生成する手順と、
前記第２のバイタル情報を前記第２のサーバへ送信する手順と、
をコンピュータに実行させるためのバイタル情報処理プログラム。
【請求項２】
前記画像の読取りデータから前記データの推定を支援するための支援情報の入力を受け付ける手順と、
前記第１のバイタル情報に基づき表示される前記画像を読み取る手順と、
前記画像の読取りデータ及び前記支援情報に基づいて前記データを推定する手順と、
をコンピュータに実行させるための請求項１のバイタル情報処理プログラム。
【請求項３】
前記画像の読取りデータから前記データの推定を支援するため、前記画像の表示に対する指標の入力を受け付ける手順と、
前記画像の読取りデータ及び前記指標に基づいて前記データを推定する手順と、
をコンピュータに実行させるための請求項２のバイタル情報処理プログラム。
【請求項４】
移行元の前記第１のサーバに関する第１のアクセス情報に基づき前記第１のサーバにアクセスする手順と、
前記第１のバイタル情報に基づき表示されるグラフに対する前記指標の入力を受け付ける手順と、
前記第１のバイタル情報に基づき表示される前記グラフを読み取る手順と、
前記グラフの読取りデータ及び前記指標に基づいて前記データを推定する手順と、
移行先の前記第２のサーバに関する第２のアクセス情報に基づき、前記第２のバイタル情報を前記第２のサーバへ送信する手順と、
をコンピュータに実行させるための請求項１乃至３のいずれか一つのバイタル情報処理プログラム。
【請求項５】
前記第２のサーバに関する第２のアクセス情報に基づき前記第２のサーバにアクセスし、前記入力形式を要求する手順と、
前記第２のサーバから前記入力形式を受信する手順と、
をコンピュータに実行させるための請求項１乃至４のいずれか一つのバイタル情報処理プログラム。
【請求項６】
第１のサーバで管理される第１のバイタル情報に基づき生成される画像を読み取る読取り手段と、
前記画像の読取りデータに基づいて前記第１のバイタル情報を構成するデータを推定する推定手段と、
推定データに基づいて第２のサーバの入力形式に対応する第２のバイタル情報を生成する生成手段と、
前記第２のバイタル情報を前記第２のサーバへ送信する送信手段と、
を備えるバイタル情報処理装置。
【発明の詳細な説明】
【技術分野】
【０００１】
この発明は、歩数、血圧、体重、体温、体脂肪などのバイタル情報を処理するバイタル情報処理プログラム及びバイタル情報処理装置に関する。
【背景技術】
【０００２】
近年、バイタル情報管理サービスが普及し始めている。バイタル情報とは、歩数、血圧、体重、体温、体脂肪など日常計測される生体情報、及び脳波、心電、筋電など医療機関等で計測される生体情報である。例えば、利用者は、パーソナルコンピュータやスマートフォン等の端末から、バイタル情報管理サーバに対して、定期的又は不定期に、歩数、血圧、体重などのバイタル情報を送信することができ、バイタル情報管理サーバに蓄積されたバイタル情報をグラフや表などで表示することができる。利用者は、端末で表示されるバイタル情報のグラフや表から、バイタル情報の推移を確認することができる。利用者は、このようなバイタル情報管理サービスを利用することにより、自身の健康管理に役立てることができる。
【先行技術文献】
【特許文献】
【０００３】
【非特許文献１】「NTT全社員（約3,000人）を対象に最新ICT技術を活用した健康増進トライアルを拡大〜医療費増大の問題解決へ向けた健康増進・疾病予防への取り組み〜」2012年12月10日NTT報道発表  http://www.ntt.co.jp/news2012/1212/121210a.html
【発明の概要】
【発明が解決しようとする課題】
【０００４】
例えば、複数のバイタル情報管理サービスが提供されている環境下で、バイタル情報管理サービスＡに加入してバイタル情報を蓄積していた利用者が、バイタル情報管理サービスＢに加入するケースを想定する。このようなケースでは、バイタル情報管理サービスＡで蓄積されたバイタル情報をバイタル情報管理サービスＢへ移行したい、又はバイタル情報管理サービスＡで蓄積されたバイタル情報をバイタル情報管理サービスＢでも利用したいという要望がある。つまり、バイタル情報管理サービスＡで蓄積されたバイタル情報をバイタル情報管理サービスＢへ転送（移動又はコピー）したいという要望がある。
【０００５】
バイタル情報管理サービスＡとバイタル情報管理サービスＢが共通のインタフェースを持っている場合、共通のインタフェースによりバイタル情報を簡単に移行できるが、一般的にはそのような共通インタフェースが整備されているとは限らない。また、予め共通インタフェースを整備しようとすると、それに伴う各サービスでのコスト増が生じる。
【０００６】
この発明は上記事情に着目してなされたもので、その目的とするところは、バイタル情報を簡単に転送することが可能なバイタル情報処理プログラム及びバイタル情報処理装置を提供することにある。
【課題を解決するための手段】
【０００７】
上記目的を達成するためにこの発明のバイタル情報処理プログラム及びバイタル情報処理装置は、以下のように構成されている。
【０００８】
（１）バイタル情報処理プログラムは、第１のサーバで管理される第１のバイタル情報に基づき生成される画像を読み取る手順と、前記画像の読取りデータに基づいて前記第１のバイタル情報を構成するデータを推定する手順と、推定データに基づいて第２のサーバの入力形式に対応する第２のバイタル情報を生成する手順と、前記第２のバイタル情報を前記第２のサーバへ送信する手順と、をコンピュータに実行させる。
【０００９】
（２）さらに、上記（１）のバイタル情報処理プログラムは、前記画像の読取りデータから前記データの推定を支援するための支援情報の入力を受け付ける手順と、前記第１のバイタル情報に基づき表示される前記画像を読み取る手順と、前記画像の読取りデータ及び前記支援情報に基づいて前記データを推定する手順と、をコンピュータに実行させる。
【００１０】
（３）さらに、上記（２）のバイタル情報処理プログラムは、前記画像の読取りデータから前記データの推定を支援するため、前記画像の表示に対する指標の入力を受け付ける手順と、前記画像の読取りデータ及び前記指標に基づいて前記データを推定する手順と、をコンピュータに実行させる。
【００１１】
（４）さらに、上記（１）乃至（３）のいずれか一つのバイタル情報処理プログラムは、移行元の前記第１のサーバに関する第１のアクセス情報に基づき前記第１のサーバにアクセスする手順と、前記第１のバイタル情報に基づき表示されるグラフに対する前記指標の入力を受け付ける手順と、前記第１のバイタル情報に基づき表示される前記グラフを読み取る手順と、前記グラフの読取りデータ及び前記指標に基づいて前記データを推定する手順と、移行先の前記第２のサーバに関する第２のアクセス情報に基づき、前記第２のバイタル情報を前記第２のサーバへ送信する手順と、をコンピュータに実行させる。
【００１２】
（５）さらに、上記（１）乃至（４）のいずれか一つのバイタル情報処理プログラムは、前記第２のサーバに関する第２のアクセス情報に基づき前記第２のサーバにアクセスし、前記入力形式を要求する手順と、前記第２のサーバから前記入力形式を受信する手順と、をコンピュータに実行させる。
【００１３】
（６）バイタル情報処理装置は、第１のサーバで管理される第１のバイタル情報に基づき生成される画像を読み取る読取り手段と、前記画像の読取りデータに基づいて前記第１のバイタル情報を構成するデータを推定する推定手段と、推定データに基づいて第２のサーバの入力形式に対応する第２のバイタル情報を生成する生成手段と、前記第２のバイタル情報を前記第２のサーバへ送信する送信手段と、を備える。
【発明の効果】
【００１４】
すなわちこの発明によれば、バイタル情報を簡単に転送することが可能なバイタル情報処理プログラム及びバイタル情報処理装置を提供することができる。
【００１５】
上記（１）のバイタル情報処理プログラムによれば、利用者に作業負担等をかけることなく、第１のバイタル情報管理サービスを提供する第１のサーバで管理される第１のバイタル情報を、第２のバイタル情報管理サービスを提供する第２のサーバで利用することができる。
【００１６】
上記（２）のバイタル情報処理プログラムによれば、支援情報の入力の受け付けにより、第１のバイタル情報を構成するデータを精度良く推定することができるので、第２のサーバの入力形式に対応する第２のバイタル情報についても精度良く生成することができる。
【００１７】
上記（３）のバイタル情報処理プログラムによれば、指標の入力の受け付けにより、第１のバイタル情報を構成するデータを精度良く推定することができるので、第２のサーバの入力形式に対応する第２のバイタル情報についても精度良く生成することができる。
【００１８】
上記（４）のバイタル情報処理プログラムによれば、指標の入力の受け付けにより、第１のバイタル情報に基づき表示されるグラフを精度良く読取ることができ、第１のバイタル情報を構成するデータを精度良く推定することができるので、第２のサーバの入力形式に対応する第２のバイタル情報についても精度良く生成することができる。
【００１９】
上記（５）のバイタル情報処理プログラムによれば、第２のサーバの入力形式を受信することができるので、利用者に作業負担等をかけることなく、第２のサーバの入力形式に対応する第２のバイタル情報を生成することができる。
【００２０】
上記（６）のバイタル情報処理方法によれば、利用者に作業負担等をかけることなく、第１のバイタル情報管理サービスを提供する第１のサーバで管理される第１のバイタル情報を、第２のバイタル情報管理サービスを提供する第２のサーバで利用することができる。
【図面の簡単な説明】
【００２１】
【図１】実施形態に係るバイタル情報処理システムの概要を示す図である。
【図２】実施形態に係るバイタル情報処理システムの機能ブロックの一例を示す図である。
【図３】移行シーケンスの一例を示す図である。
【図４】グラフを含む表示画像の一例を示す図である。
【図５】バイタル値の計算方法の一例を説明するための図である。
【図６】１つの移行元のバイタル情報管理サービスから、複数の移行先のバイタル情報管理サービスへの移行の一例を示す図である。
【発明を実施するための形態】
【００２２】
以下、図面を参照してこの発明に係わる実施形態を説明する。  
図１は、実施形態に係るバイタル情報処理システムの概要を示す図であり、図２は、実施形態に係るバイタル情報処理システムの機能ブロックの一例を示す図である。
【００２３】
図１及び図２に示すように、バイタル情報処理システムは、バイタル情報管理サーバ１、端末２、バイタル情報管理サーバ３を備え、バイタル情報管理サーバ１、端末２、バイタル情報管理サーバ３は、ネットワーク４を介して接続される。
【００２４】
バイタル情報管理サーバ１は、汎用コンピュータ等で構成することができ、バイタル情報管理サーバ１は、情報処理部１１、情報記憶部１２、通信部１３を備える。本実施形態では、バイタル情報管理サーバ１が、バイタル情報管理サービスＡを提供するものと仮定する。バイタル情報管理サーバ１のネットワーク上の位置は、バイタル情報管理サーバ１に関する第１のアクセス情報（ＵＲＬ（Uniform Resource Locator））で管理され、この第１のアクセス情報により各種端末からアクセス可能に構成されている。
【００２５】
端末２は、汎用コンピュータ、タブレット型コンピュータ、又はスマートフォン等で構成することができ、端末２は、情報処理部２１、情報記憶部２２、通信部２３、表示部２４、入力部２５を備える。例えば、入力部２５は、キーボード、マウスにより構成することができる。或いは、タッチパネルにより表示部２４及び入力部２５を構成するようにしてもよい。情報記憶部２２は、各種アプリケーションを記憶し、情報処理部２１は、各種アプリケーションを実行する。例えば、情報処理部２１は、Ｗｅｂブラウザを実行したり、後述する移行アプリケーションプログラム（移行ＡＰ）又はコピーアプリケーションプログラムを実行したりすることができる。
【００２６】
バイタル情報管理サーバ３は、汎用コンピュータ等で構成することができ、バイタル情報管理サーバ３は、情報処理部３１、情報記憶部３２、通信部３３を備える。本実施形態では、バイタル情報管理サーバ３が、バイタル情報管理サービスＢを提供するものと仮定する。バイタル情報管理サーバ３のネットワーク上の位置は、バイタル情報管理サーバ３に関する第２のアクセス情報（ＵＲＬ）で管理され、この第２のアクセス情報により各種端末からアクセス可能に構成されている。
【００２７】
例えば、バイタル情報管理サービスＡのサービスを希望する利用者は、端末２を介して、バイタル情報管理サーバ１（バイタル情報管理サーバ１のＵＲＬ（Uniform Resource Locator））へアクセスし、端末２の入力部２５を介して、必要事項（ＩＤ、パスワード等）を入力し、バイタル情報管理サービスＡに加入する。例えば、バイタル情報管理サービスＡの利用者は、端末２の入力部２５を介して、ＩＤ、パスワード等に基づきログインし、バイタル情報を入力し、端末２の通信部３３は入力されたバイタル情報をバイタル情報管理サーバ１へ送信する。定期的又は不定期に、バイタル情報の入力及び送信が繰り返されることにより、バイタル情報管理サーバ１の情報記憶部１２は、ＩＤに対応付けられたバイタル情報を蓄積する。
【００２８】
端末２は、バイタル情報を送信する際に、時間情報に対応付けてバイタル情報を送信し、バイタル情報管理サーバ１は、時間情報が対応付けられたバイタル情報を管理する。即ち、バイタル情報管理サーバ１は、ＩＤ及び時間情報が対応付けられたバイタル情報を管理する。なお、バイタル情報管理サーバ１は、上記のように、情報記憶部１２にバイタル情報を蓄積して管理してもよいし、バイタル情報管理サーバ１の外部の記憶装置にバイタル情報を蓄積して管理してもよい。
【００２９】
また、端末２が、自動的にバイタル情報を取得し自動的にバイタル情報をバイタル情報管理サーバ１へ送信するようにしてもよい。例えば、端末２が振動を検出する振動検出機能を備え、振動検出機能により検出された振動から歩数を算出し、歩数の情報を定期的にバイタル情報管理サーバ１へ送信するようにしてもよい。
【００３０】
バイタル情報管理サービスＡの利用者は、端末２を介して、バイタル情報管理サーバ１へアクセスし、バイタル情報管理サーバ１のグラフ表示機能、及び端末２のＷｅｂブラウザ機能により、バイタル情報管理サーバ１で管理されているバイタル情報に基づき表示される画像を見ることができる。端末２が表示する画像は、グラフ又は表など様々な表示を含む。利用者は、端末２で表示されるグラフ又は表などから自己の体調を知り、管理に役立てることができる。
【００３１】
次に、図３を参照して、複数のバイタル情報管理サービスのうちの、バイタル情報管理サービスＡ（移行元）からバイタル情報管理サーバＢ（移行先）への移行について説明する。図３は、実施形態に係る移行シーケンスの一例を示す図である。なお、本実施形態では移行アプリケーション（移行ＡＰ）によりサービスを移行するケースについて説明するが、所定のアプリケーションにより２以上のサービスを併用するケースについても同様に適用できる。
【００３２】
例えば、バイタル情報管理サービスＡが蓄積されたバイタル情報に基づき歩数に関する情報を提供しているが消費カロリーに関する情報を提供しておらず、バイタル情報管理サービスＢが蓄積されたバイタル情報に基づき歩数に関する情報及び消費カロリーに関する情報を提供している場合には、バイタル情報管理サービスＡからバイタル情報管理サーバＢへの移行が考えられる。
【００３３】
また、バイタル情報管理サービスＡが蓄積されたバイタル情報に基づき歩数に関する情報を提供しているが消費カロリーに関する情報を提供しておらず、バイタル情報管理サービスＢが蓄積されたバイタル情報に基づき歩数に関する情報を提供していないが消費カロリーに関する情報を提供している場合には、バイタル情報管理サービスＡ及びバイタル情報管理サーバＢの併用が考えられる。
【００３４】
サービスの移行（又は併用）を希望する利用者は、端末２を介して、移行ＡＰ（又はコピーＡＰ）を取得（ダウンロード）する。例えば、移行先となるバイタル情報管理サーバ３（移行先サーバ）が移行ＡＰを提供してもよいし、移行元となるバイタル情報管理サーバ１（移行元サーバ）が移行ＡＰを提供してもよいし、その他のサーバが移行ＡＰを提供してもよい。端末２は、移行ＡＰ提供サーバのＵＲＬに基づき、移行ＡＰ提供サーバへアクセスし、移行ＡＰを取得する。例えば、端末２は、移行ＡＰ提供サーバであるバイタル情報管理サーバ３のＵＲＬに基づき、バイタル情報管理サーバ３へアクセスし、移行ＡＰを取得する（ＳＴ１０１）。なお、端末２が、ＵＳＢ（Universal Serial Bus）メモリ又はメモリカード等の記憶媒体を介して移行ＡＰを取得してもよい。
【００３５】
例えば、移行先となるバイタル情報管理サーバ３が移行ＡＰを提供するケースでは、移行ＡＰが、移行先となるバイタル情報管理サーバ３のＵＲＬ、及び移行先となるバイタル情報管理サーバ３がサポートするバイタル情報の入力形式（例えばＣＳＶ）に関する情報を含むようにしてもよい。これにより、後述するバイタル情報の変換をより簡単にすることができるとともに、移行先の設定も簡単にすることができる。言い換えれば、移行先となるバイタル情報管理サーバ３が移行ＡＰを提供するケースでは、変換形式の指定及び移行先の設定を自動化することができる。
【００３６】
端末２の情報記憶部２２は、取得された移行ＡＰを記憶し、情報処理部２１は、移行ＡＰを起動する（ＳＴ１０２）。情報処理部２１は、移行ＡＰに従い、移行元サーバのＵＲＬを要求し、表示部２４は、移行元サーバのＵＲＬの入力画面又は選択画面を表示する。利用者は、端末２の入力部２５を介して、移行元サーバのＵＲＬを入力又は選択する（ＳＴ１０３）。これに対応して、端末２の通信部２３は、移行元サーバへアクセスする。例えば、端末２の通信部２３は、バイタル情報管理サーバ１へアクセスし、入力部２５を介して入力されたＩＤ、パスワード等に基づきログインし、バイタル情報管理サーバ１からのレスポンスを受信する。
【００３７】
バイタル情報管理サーバ１のグラフ表示機能、及び端末２のＷｅｂブラウザ機能により、端末２の表示部２４は、バイタル情報管理サーバ１により管理されたバイタル情報（以下、オリジナルバイタル情報（第１のバイタル情報））に基づき生成される画像を表示する（ＳＴ１０４）。表示画像には、例えば、グラフや表が含まれる。図４は、グラフを含む表示画像の一例を示す図である。端末２の情報処理部２１は、生成（表示）された画像を読み取る。例えば、情報処理部２１は、表示されたグラフのスナップショットを取得する。
【００３８】
さらに、端末２の情報処理部２１及び表示部２４は、移行ＡＰに従い、支援情報（指標）を要求し、これに対応して、入力部２５を介して支援情報を受け付ける。支援情報とは、オリジナルバイタル情報に基づき生成（表示）される画像の読取りデータから、オリジナルバイタル情報を構成するデータ（歩数、血圧、体重、体温、体脂肪などのデータ）の推定を支援するための情報であり、後述するグラフ表示範囲、縦軸、横軸範囲、縦軸、横軸単位、情報種別（歩数、血圧、体重、体温、体脂肪などの種別）等である。
【００３９】
例えば、図４に示すように、情報処理部２１及び表示部２４は、移行ＡＰに従い、グラフ表示範囲、縦軸、横軸範囲（数値）、縦軸、横軸単位、情報種別の指定を要求し、これに対応して、入力部２５を介してグラフ表示範囲、縦軸、横軸範囲、縦軸、横軸単位、情報種別の指定を受け付ける（ＳＴ１０５、ＳＴ１０６、ＳＴ１０７、ＳＴ１０８）。例えば、グラフ表示範囲については、入力部２５（マウス）でグラフ表示範囲を囲う方法がある。
【００４０】
続いて、情報処理部２１は、支援情報（指標）に基づいて、グラフ等の画像の読取りデータを解析し、オリジナルバイタル情報を構成するデータを推定する。例えば、情報処理部２１は、画像認識により、一定時間（１時間、１日等）ごとのデータを読取り、オリジナルバイタル情報を構成するデータを推定する。
【００４１】
図５は、バイタル値の計算方法の一例を説明するための図である。図５に示すように、入力部２５を介して、ａ１、ａ２（横軸の入力値）、ｂ１、ｂ２（縦軸の入力値）、ｘ１、ｘ２（横軸の画面位置（座標））、ｙ１、ｙ２（縦軸の画面位置（座標））が入力されると、情報処理部２１は、以下の式に基づき、Ａ（横軸の数値）、Ｂ（縦軸の数値）を算出する。
【００４２】
Ａ＝（Ｘ-ｘ１）×（ａ２-ａ１）／（Ｘ２-Ｘ１）
Ｂ＝（Ｙ-ｙ１）×（ｂ２-ｂ１）／（Ｙ２-Ｙ１）
情報処理部２１は、上記算出結果に基づき、画像の読取りデータを解析し、オリジナルバイタル情報を構成するデータを推定する。
【００４３】
例えば、表示部２４は、推定されたデータ（推定データ）に基づく画像（グラフ等）を表示するとともに、推定データ（又は推定データから生成された推定バイタル情報）の確定又は修正を要求するようにしてもよい。入力部２５を介して確定が入力されると、推定データ（又は推定バイタル情報）が確定する。入力部２５を介して修正が入力されると、表示部２４は、図４に示す表示画像を再表示し、支援情報の再入力を可能とする。或いは、入力部２５を介して修正が入力されると、推定データ（又は推定バイタル情報）に基づく画像上で、縦軸、横軸範囲、縦軸、横軸単位等の修正を可能とする。
【００４４】
なお、情報処理部２１は、移行ＡＰに従い、支援情報を要求し、支援情報を受け付けてから、画像を読み取ってもよい。また、上記支援情報の要求及び受け付けは、必須でなくてもよい。例えば、情報処理部２１は、移行ＡＰに従い、画像を読取り、支援情報に頼らずに、読み取られた画像を解析し、オリジナルバイタル情報を構成するデータを推定することができる場合には、上記支援情報を要求せず、オリジナルバイタル情報を構成するデータを推定することができない、或いは十分な精度のデータを推定することができない場合に、上記支援情報を要求するようにしてもよい。
【００４５】
さらに、端末２の情報処理部２１が、移行ボタンの押下を検出すると（ＳＴ１０９）、移行ＡＰに従い、推定データ（又は推定バイタル情報）に基づいて、バイタル情報管理サーバ３の入形形式に対応するように変換されたバイタル情報（第２のバイタル情報）を生成する（ＳＴ１１０）。上記したように、バイタル情報管理サーバ３から取得した移行ＡＰは、バイタル情報管理サーバ３がサポートするバイタル情報の入力形式に関する情報を含む。従って、情報処理部２１は、バイタル情報管理サーバ３から取得した移行ＡＰに従い、推定データに基づき、バイタル情報管理サーバ３の入形形式に対応するように変換されたバイタル情報（変換バイタル情報）を生成することができる。
【００４６】
移行ＡＰが、移行先となるバイタル情報管理サーバ３がサポートするバイタル情報の入力形式に関する情報を含まない場合には、例えば、利用者が、端末２の入力部２５を介して、移行先のバイタル情報サービスに関する情報（例えば移行先のバイタル情報サービスを提供するサーバのＵＲＬ）を入力し、情報処理部２１が、移行ＡＰに従い、移行先のバイタル情報サービスを提供するサーバに対して入力形式に関する情報を要求し、移行先のバイタル情報サービスを提供するサーバから入力形式に関する情報を受信し、推定データに基づき、変換バイタル情報を生成する。
【００４７】
さらに、端末２の通信部２３は、移行ＡＰに従い、変換バイタル情報の移行先のバイタル情報管理サーバ３へ変換バイタル情報の登録を依頼し、変換バイタル情報を送信する。上記したように、バイタル情報管理サーバ３から取得した移行ＡＰは、バイタル情報管理サーバ３のＵＲＬを含む。従って、情報処理部２１は、バイタル情報管理サーバ３から取得した移行ＡＰに従い、バイタル情報管理サーバ３へ変換バイタル情報を送信することができる。バイタル情報管理サーバ３は、変換バイタル情報を受信し登録し（ＳＴ２０１）、端末２に対して登録結果を報告する。端末２の表示部２４は、登録結果を表示する（ＳＴ１１１）。
【００４８】
移行ＡＰが、移行先のバイタル情報サービスに関する情報を含まない場合には、例えば、利用者が、端末２の入力部２５を介して、移行先のバイタル情報サービスに関する情報を入力し、情報処理部２１が、移行ＡＰに従い、移行先のバイタル情報サービスを提供するサーバのＵＲＬを取得し、取得したＵＲＬに基づき変換バイタル情報を送信することができる。
【００４９】
上記説明では、Ｗｅｂに表示されたグラフ等のキャプチャから、データ化し（オリジナルバイタル情報を構成するデータを推定し）、移行先の入力形式に対応するように変換された変換バイタル情報を生成し、移行先へ変換バイタル情報を送信するケースについて説明した。これ以外にも、Ｗｅｂに表示されたグラフ等をカメラで撮影して取得した画像データから、データ化し、移行先の入力形式に対応するように変換された変換バイタル情報を生成し、移行先へ変換バイタル情報を送信するようにしてもよい。
【００５０】
近年、複数のバイタル情報管理サービスが普及しているが、その多くのサービスにおいてバイタル情報に基づく画像（グラフ、表）を表示することができる。本実施形態によれば、この表示画像を利用することで、コストをかけずに、移行先のサービスでサポートされている入力形式に対応するように変換された変換バイタルデータを簡単に生成することができる。また、上記説明した支援情報の入力を促し、入力された支援情報に基づき読取り画像を解析することにより、精度良くオリジナルバイタル情報を推定することができる。
【００５１】
以上により、本実施形態よれば、移行元のバイタル情報管理サービスにバイタル情報のグラフ表示機能があれば、移行元のバイタル情報管理サービスで管理されたバイタル情報を移行先のバイタル情報管理サービスに簡単に移行することができる。
【００５２】
なお、上記したバイタル情報の移行（又はコピー）の手順は移行ＡＰ（又はコピーＡＰ）等のソフトウェアによって実行することが可能である。このため、上記処理の手順を実行する移行ＡＰ等をダウンロードしこの移行ＡＰ等を通常のコンピュータにインストールして実行するだけで、上記処理を容易に実現することができる。或いは、上記処理の手順を実行する移行ＡＰ等を格納したコンピュータ読み取り可能な記憶媒体を通じてこの移行ＡＰ等を通常のコンピュータにインストールして実行するだけで、上記処理を容易に実現することができる。
【００５３】
例えば、端末２は、上記プログラムをダウンロードし、ダウンロードしたプログラムを記憶し、プログラムのインストールを完了することができる。また、端末２は、コンピュータ読み取り可能な記憶媒体から上記プログラムを読み取り、読み取ったプログラムを記憶し、プログラムのインストールを完了することができる。これにより、端末２は、インストールされた上記プログラムに基づき、上記処理を容易に実現することができる。
【００５４】
なお、この発明は上記実施形態に限定されるものではない。例えば、図６に示すように、１つの移行元のバイタル情報管理サービスから、複数の移行先のバイタル情報管理サービスへの移行も簡単に行うことができる。例えば、移行先のサービスＡ、Ｂ、Ｃ、Ｄを想定し、移行元のサービスＥを想定し、移行先のサービスＡ、Ｂ、Ｃ、Ｄが入力形式ａ、ｂ、ｃ、ｄをサポートしていると想定する。移行ＡＰが、移行先のサービスＡ、Ｂ、Ｃ、ＤのＵＲＬ、及び移行先のサービスＡ、Ｂ、Ｃ、Ｄの入力形式ａ、ｂ、ｃ、ｄに関する情報を持つことにより、この移行ＡＰを利用し、一括して、移行元のオリジナルバイタル情報を、移行先のサービスＡ、Ｂ、Ｃ、Ｄの入力形式ａ、ｂ、ｃ、ｄに対応するように変換された変換バイタル情報ａ１、ｂ１、ｃ１、ｄ１を生成して、変換バイタル情報ａ１、ｂ１、ｃ１、ｄ１を移行先のサービスＡ、Ｂ、Ｃ、Ｄの各サーバへ送信、登録することができる。つまり、サービスＡのサーバには変換バイタル情報ａ１が送信され、サービスＢのサーバには変換バイタル情報ｂ１が送信され、サービスＣのサーバには変換バイタル情報ｃ１が送信され、サービスＤのサーバには変換バイタル情報ｄ１が送信される。
【００５５】
或いは、移行先のサービスＡ、Ｂ、Ｃ、Ｄを想定し、移行元のサービスＥを想定し、移行先のサービスＡ、Ｂ、Ｃ、Ｄが入力形式ａをサポートしていると想定する。移行ＡＰが、移行先のサービスＡ、Ｂ、Ｃ、ＤのＵＲＬ、及び移行先のサービスＡ、Ｂ、Ｃ、Ｄの入力形式ａに関する情報を持つことにより、この移行ＡＰを利用し、移行元のオリジナルバイタル情報を、移行先のサービスＡ、Ｂ、Ｃ、Ｄの入力形式ａに対応するように変換された変換バイタル情報ａ１を生成して、変換バイタル情報ａ１を移行先のサービスＡ、Ｂ、Ｃ、Ｄの各サーバへ送信、登録することができる。
【００５６】
その他にも、この発明の要旨を逸脱しない範囲で種々変形して実施可能である。
【００５７】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００５８】
１…バイタル情報管理サーバ、２…端末、３…バイタル情報管理サーバ、４…ネットワーク、１１…情報処理部、１２…情報記憶部、１３…通信部、２１…情報処理部、２２…情報記憶部、２３…通信部、２４…表示部、２５…入力部、３１…情報処理部、３２…情報記憶部、３３…通信部。
【図１】
2015197808.tif 000003
【図２】
2015197808.tif 000004
【図３】
2015197808.tif 000005
【図４】
2015197808.tif 000006
【図５】
2015197808.tif 000007
【図６】
2015197808.tif 000008